(57)【特許請求の範囲】
【請求項１】
固定台（１０）に棒灸（１）を固定する棒灸保持具において、
棒灸（１）を保持する棒灸保持部材（１００）と、
棒灸保持部材（１００）を固定台（１０）に固定する変形自在固定具（９）と、
変形自在固定具（９）と棒灸保持部材（１００）を着脱可能に固定する外側筒固定具（８）とを備え、
棒灸保持部材（１００）は、外側筒（５）と、外側筒（５）の内部を長手方向にスライド可能な内側筒（３）と、外側筒（５）の先端部に取り付けられた着脱可能な火傷防止ふた（６）を有し、
内側筒（３）の内側先端部近傍に止めバネ（４b）を取り付け、止めバネ（４b）の弾力で内側筒（３）の内部を棒灸（１）が長手方向にスライドして施灸部（１１）との距離を調整する棒灸保持具。
【請求項２】
変形自在固定具（９）に代えて、伸び縮みする伸縮可能なアーム棒で棒灸保持部材（１００）を固定台（１０）に固定する請求項１記載の棒灸保持具。
【請求項３】
変形自在固定具（９）に代えて、固定した柱状のもので棒灸保持部材（１００）と固定台（１０）を固定し、外側筒固定具（８）は上下にスライドして高さを調節できるものである請求項１記載の棒灸保持具。
【発明の詳細な説明】
【技術分野】
【０００１】
本発明は、鉛筆大の棒状もぐさ（以下、棒灸という）を固定台に固定することを目的とする。長時間の棒灸使用で、施灸効果を高めるため、棒灸使用時に、第三者（以下、施術者という）または患者自身が保持することなく、棒灸の一端を固定し、体表面上のツボ（経穴）の近辺に固定する棒灸保持具に関するものである。
【背景技術】
【０００２】
従来、施術者または患者自身が棒灸を保持しながら、ツボに直接触れないように、灸による熱の刺激で施術をしていた。つまり、棒灸自体を移動させ、ツボに近づけることによって施術をしていた。
【先行技術文献】
【特許文献】
【０００３】
【特許文献１】特開平８−６６４５７号公報
【特許文献２】特開２００４−１２１７７６号公報
【発明の概要】
【発明が解決しようとする課題】
【０００４】
従来の棒灸使用方法には、次のような欠点があった。
１．施術者または患者自身が、棒灸をツボ上に数分から１時間程度施術する場合、長時間同じ位置で保持できず、施灸効果を高められなかった。
２．お灸の熱さは患者自身にしかわからないので、施術者が患者の皮膚に棒灸を近づけ過ぎて火傷をおこしたり、逆に離し過ぎてお灸の熱刺激が不十分であったりした。
３．患者自身でなく施術者に施灸される場合、患者には自分で棒灸の熱刺激を調節できないので、火傷や灸痕に対する恐怖心があった。
４．棒灸による施灸は、通常同時に２ヶ所以上することはなく、両手や両足などを同時に施灸することが困難であり、施灸時間を短縮することができなかった。また、２ヶ所以上の効果的なツボに対し、同時に施灸することによる効果を試すことができなかった。
５．棒灸を体表面上のツボに近づけるとき、施術者または患者自身は、火傷防止のため必要以上に注意することがあり、その分時間がかかっていた。
本発明は、棒灸を固定台に固定しているため、患者自身が体を近づけたり遠ざけたりして熱刺激を調節でき、以上のような欠点をなくすことができる。
【課題を解決するための手段】
【０００５】
本発明の棒灸保持具は、固定台に棒灸を固定する棒灸保持具において、棒灸を保持する棒灸保持部材と、棒灸保持部材を固定台に固定する変形自在固定具とを備え、棒灸保持部材は、外側筒と、外側筒の内部を長手方向にスライド可能な内側筒と、外側筒の先端部に取り付けられた着脱可能な火傷防止ふたを有し、内側筒の内部を棒灸が長手方向にスライドして施灸部との距離を調整する。
【発明の効果】
【０００６】
以上説明したように、この発明によれば、
１．施術者でなく患者自身でできるので、施術所ではなく灸師の指導により自宅で行うことができる。よって、経済的・距離的・体力的・時間的な問題等で断念することが少なくなり、施灸効果を持続でき、逆子・不妊・冷え性・生理痛・生理不順などの婦人科系の疾患、一般的な腰痛・肩こり、慢性的な疾患など、広範囲な疾患に対して応用範囲が格段に広まる。
２．本発明の棒灸保持具を利用して施灸する場合、たとえば従来１時間かかっていた施灸時間が、両手・両足など２ヶ所に２台使用して同時施灸すれば３０分で、４台で４ヶ所のツボ刺激なら１５分で施灸できることになり、施灸時間を大幅に短縮できる。
３．棒灸を固定台に固定することにより、施術者または患者が保持することがないので、患者自身が楽な姿勢で、長時間のお灸の熱刺激を効果的に加えられる。
４．施術者が施灸しないので、患者自身が火傷をおこさないように、自分自身の体を棒灸に近づけたり遠ざけたりして、お灸の熱さを自分で調節でき、施灸に対する恐怖心を軽減できる。
５．小型にすれば、簡単に持ち運ぶことができ、施術所や自宅などの多くの場所で使用できる。
６．自由に棒灸の角度や高さを調節して固定することができ、継続して体表面上のツボに対し、正確に施灸することができる。
７．火傷防止のため、不用意に棒灸が体表面上のツボに直接触れないようにすることにより、施灸に対する恐怖心を取り除くことができ、また施灸時間を短縮できる。
８．棒灸保持部材を着脱可能にすることにより、持ち運びが便利になる。
【図面の簡単な説明】
【０００７】
【図１】本発明の実施例の棒灸保持具全体を示す斜視図
【図２】本発明の実施例の内側筒を示す斜視図
【図３】本発明の実施例の棒灸保持部材を示す斜視図
【発明を実施するための形態】
【０００８】
以下、図を用いて実施例を説明する。
【実施例】
【０００９】
棒灸保持具は図１のように、固定台１０と、固定台１０に取り付けられた変形自在固定具９と、変形自在固定具９に外側筒固定具８を介して取り付けられた棒灸保持部材１００によって構成されている。
【００１０】
棒灸保持部材１００について説明する。棒灸保持部材１００は、図２のように直接棒灸１をスライドさせて出し入れをする内側筒３と、内側筒３をスライドさせて出し入れをする外側筒５と、外側筒５の先端部に取り付けられた着脱可能な火傷防止ふた６によって構成されている。
【００１１】
図２で、内側筒３について説明する。内側筒３は、その内側に止めバネ４bが取り付けられている。内側筒３内部では、止めバネ４bの弾力で、直接棒灸１を長手方向にスライドして固定し、燃焼部２の位置を移動させ、施灸部１１との距離を調整できる。
【００１２】
なお、内側筒３は止めバネ４bを備える。
【００１３】
図３で、外側筒５について説明する。外側筒５は、その内側に止めバネ４aが取り付けられている。外側筒５内部では、止めバネ４aの弾力で、内側筒３を長手方向にスライドして固定することができる。
【００１４】
なお、外側筒５は止めバネ４aを備える。
【００１５】
また、外側筒５の先端には、着脱可能な火傷防止ふた６が取り付けられている。
【００１６】
外側筒５は、通気孔７により棒灸１の燃焼を促進することができる。
【００１７】
外側筒５は、火傷防止のため熱伝導の低い材質を使用し、燃焼部２に直接触れないようにすることができる。
【００１８】
火傷防止ふた６は、着脱可能で、熱伝導の低い材質のものを使用することもできる。
【００１９】
変形自在固定具９について説明する。変形自在固定具９は、固定台１０に固定され、棒灸保持部材１００の高低、左右、前後の角度や位置を決められるように湾曲可能な材質を使用し、棒灸１の先端部にある燃焼部２が施灸部１１の近くになるように固定することができる。
【００２０】
なお、変形自在固定具９に代えて、固定した柱状のものとすることもできる。

【００２１】
また、変形自在固定具９に代えて、伸び縮みする伸縮可能なアーム棒とすることもできる。
【００２２】
外側筒固定具８について説明する。外側筒固定具８は、変形自在固定具９と外側筒５を固定するものである。
【００２３】
なお、外側筒固定具８については、ネジ式で固定することもできる。
【００２４】
また、外側筒固定具８は、変形自在固定具９に代えて、固定した柱状のものとしたとき、上下にスライドして高さを調節できるものとすることができる。
【００２５】
また、棒灸保持部材１００は、外側筒固定具８から着脱可能にすることもできる。
【００２６】
棒灸保持部材１００では、燃焼部２が燃焼することにより、燃焼部２と施灸部１１との距離が離れるため、内側筒３または外側筒５を利用して、燃焼部２の位置を長手方向にスライドして移動させ、施灸部１１との距離を二重で調整することできる。
【００２７】
なお、図３のように、外側筒５の内部に、止めバネ４aの弾力で内側筒３をスライドして固定しているが、前記内側筒３に換えて、直接棒灸１をスライドして固定し、燃焼部２の位置を移動させ、施灸部１１との距離を調整することもできる。
【符号の説明】
【００２８】
１  棒灸
２  燃焼部
３  内側筒
４a.４b  止めバネ
５  外側筒
６  火傷防止ふた
７  通気孔
８  外側筒固定具
９  変形自在固定具
１０  固定台
１１  施灸部
１００  棒灸保持部材
【要約】
【課題】いままでの棒状もぐさ（以下、棒灸という）の使用方法では、施術者または患者自身が保持していたが、棒灸を固定台に固定することにより、長時間の施灸を可能にし、施灸効果を高めることができる棒灸保持具を提供する。
【解決手段】固定台に棒灸を固定する棒灸保持具において、棒灸を保持する棒灸保持部材と、棒灸保持部材を固定台に固定する変形自在固定具とを備え、棒灸保持部材は、外側筒と、外側筒の内部を長手方向にスライド可能な内側筒と、外側筒の先端部に取り付けられた着脱可能な火傷防止ふたを有し、内側筒の内部を棒灸が長手方向にスライドして施灸部との距離を調整する。
【選択図】図１【図１】
0005776998.tif 000002
【図２】
0005776998.tif 000003
【図３】
0005776998.tif 000004